(57)【要約】【課題】人口歯及び各種補綴物に付着したワックス、油分、その他の汚れを、迅速かつ確実に除去できる洗浄器を提供する。【解決手段】筒状の容器１及び蓋２を備える。容器内の仕切板５を挟んで上下に洗浄室６及び洗浄液貯蔵室７が設けられる。仕切板の洗浄室側の面には、高温蒸気の導入管路８〜１２が立設される。蓋には高温蒸気の導入管路の上端開口に整合する開口２ａが形成される。洗浄液吸上げ管１３の一端が洗浄液貯蔵室に接続され、他端が高温蒸気の導入管路の途中に接続される。洗浄室内に洗浄すべき人口歯及び／又は歯科用補綴物が収容された後、容器に蓋が取り付けられた状態で、高温蒸気の導入管路内に高温蒸気噴射ノズルが挿入され、高温蒸気の導入管路の吹出口９から洗浄液の混合された高温蒸気が噴射されて洗浄室内に渦流が立ち上り、この渦流の作用により人口歯等が洗浄される。洗浄後の汚水が排水チューブ１５から排水される。【選択図】図１
0003181345.tif 000002
【実用新案登録請求の範囲】
【請求項１】
中心軸に関して回転対称な形状を有し、前記中心軸方向の上端が開口した容器と、前記容器に着脱自在に取り付けられて前記開口を封閉する蓋とを備え、前記容器の内部空間は仕切板によって仕切られて、前記仕切板を挟んで上下にそれぞれ洗浄室および洗浄液貯蔵室が設けられ、前記仕切板の前記洗浄室側の面には、円筒壁が前記中心軸に同軸に設けられ、前記円筒壁には、その円周の接線方向に開いた吹出口が少なくとも１つ形成され、前記円筒壁の上端開口は水平な壁によって閉じられ、前記水平な壁の上方には、下端開口が閉じられた大径の円筒部材が前記円筒壁から間隔をあけて配置されるとともに、前記大径の円筒部材および前記水平な壁間には小径の円筒部材が同軸にのび、前記小径の円筒部材の下端が前記水平な壁に同心に形成された円形の開口に接続される一方、上端が前記大径の円筒部材の下端壁に同心に形成された円形の開口に接続されており、前記大径の円筒部材の上端縁は前記蓋の内面に接触し、前記蓋には前記大径の円筒部材の上端開口に整合する開口が形成され、前記洗浄液貯蔵室の上部周壁には洗浄液供給口が設けられ、下部周壁には洗浄液出口が形成され、前記洗浄液出口には前記容器の外側に配置された洗浄液吸上げ管の一端が接続され、前記洗浄液吸上げ管の他端は、前記洗浄室の周壁を貫通して前記洗浄室内にのびた後、前記小径の円筒部材の周壁を貫通して前記小径の円筒部材の内部に開口し、前記仕切板には、前記洗浄室と前記洗浄液貯蔵室を連通する通気孔が設けられ、前記洗浄室の上部周壁には排水孔が形成されており、
前記洗浄室内に洗浄すべき人口歯および／または歯科用補綴物が入れられ、前記容器に前記蓋が取り付けられた状態で、高温蒸気噴射ノズルが前記蓋の開口を通って前記大径の円筒部材内に挿入され、前記円筒壁の前記吹出口から前記洗浄液の混合された高温蒸気が噴射されて前記洗浄室内に渦流が立ち上り、前記渦流の作用により前記人口歯および／または前記歯科用補綴物が洗浄されるものであることを特徴とする歯科技工用洗浄器。
【請求項２】
前記洗浄室の壁面に複数の丸みを帯びた凸部が設けられていることを特徴とする請求項１に記載の歯科技工用洗浄器。
【請求項３】
前記容器は下端開口が閉じられた筒状をなし、前記蓋は、前記容器の外径に対応する内径を有しかつ上端開口が閉じられた短筒状をなし、前記容器の上端付近の周壁外面には、ネジ山が設けられる一方、前記蓋の周壁内面には、前記容器のネジ山と対をなすネジ溝が設けられており、前記蓋が前記容器にねじ込み固定されることによって前記容器に取り付けられることを特徴とする請求項１または請求項２に記載の歯科技工用洗浄器。
【請求項４】
前記容器は、中空球形の第１の容器エレメントと、前記第１の容器エレメントの直径よりも小さい内径を有し、下端開口が閉じられた筒形状の第２の容器エレメントとを、前記第１の容器エレメントが前記第２の容器エレメントの上端開口に嵌め込まれた状態で結合したものからなり、前記仕切板は、前記第１の容器エレメントにおける前記第２の容器エレメントの上端開口を封閉する壁部分からなり、前記第１の容器エレメントの内部空間が前記洗浄室を形成し、前記第２容器エレメントの内部空間が前記洗浄液貯蔵室を形成することを特徴とする請求項１または請求項２に記載の歯科技工用洗浄器。
【考案の詳細な説明】
【技術分野】
【０００１】
本考案は、歯科技工の作業現場において、人口歯や、クラウン、インレー、ブリッジおよびクラスプ等の各種補綴物に付着したワックス、油分およびその他の汚れを除去するための洗浄器に関するものである。
【背景技術】
【０００２】
歯科技工の作業現場においては、人口歯および各種補綴物に付着したワックス、油分およびその他の汚れを除去すべく、洗浄作業がなされる。
この洗浄作業は、従来技術においては、例えば、水（必要に応じて少量の洗剤が加えられる）を入れた鍋を火にかけ、水を沸騰させた状態で、洗浄すべき人口歯および各種補綴物を鍋の中に入れ、人口歯等に付着したワックス、油分およびその他の汚れを沸騰水中に溶かし出し、その後、加熱をやめ、鍋が適度に冷やされた時点で、鍋の水を排水し、残った人口歯等を取り出すことによってなされていた。
【０００３】
しかし、この洗浄方法によれば、鍋の水が排水されるとき、水中に溶け出たワックスおよび油分等が人口歯および各種補綴物の表面に再付着してしまい、よって、鍋中に残された人口歯等は、表面がぬるぬるした状態で容易に回収できないという問題があった。
【０００４】
また、洗浄作業は、例えば、洗浄すべき人口歯および各種補綴物を洗浄用容器内の付着物除去用通水マット上に置き、高温蒸気噴射ノズルを手で操作しつつ、人口歯および各種補綴物に高温蒸気を吹き付け、人口歯等に付着したワックス、油分およびその他の汚れを高温蒸気によって洗い流すことによってなされていた（例えば、特許文献１参照）。
【０００５】
この方法によれば、一旦洗い流されたワックスおよ油分等が人口歯および各種補綴物に再付着することは防止される。
しかしながら、高温蒸気を吹き付ける関係上、洗浄作業中に人口歯等を手で直に持って動かせず、洗浄は専ら高温蒸気噴射ノズルを手で操作することでなされる。そのため、人口歯等の裏面（付着物除去通水マットに接する面）に付着したワックスおよび油分等を洗い流す場合には、一時洗浄作業を中止し、人口歯等を裏返した後、洗浄作業を再開しなければならず、洗浄作業に手間がかかるという問題があった。
【先行技術文献】
【特許文献】
【０００６】
【特許文献１】特開２００３−３０５０６０号公報（図１、図２）
【考案の概要】
【考案が解決しようとする課題】
【０００７】
したがって、本考案の課題は、人口歯および各種補綴物に付着したワックス、油分、その他の汚れを、迅速かつ確実に除去できる洗浄器を提供することにある。
【課題を解決するための手段】
【０００８】
上記課題を解決するため、本考案は、中心軸に関して回転対称な形状を有し、前記中心軸方向の上端が開口した容器と、前記容器に着脱自在に取り付けられて前記開口を封閉する蓋とを備え、前記容器の内部空間は仕切板によって仕切られて、前記仕切板を挟んで上下にそれぞれ洗浄室および洗浄液貯蔵室が設けられ、前記仕切板の前記洗浄室側の面には、円筒壁が前記中心軸に同軸に設けられ、前記円筒壁には、その円周の接線方向に開いた吹出口が少なくとも１つ形成され、前記円筒壁の上端開口は水平な壁によって閉じられ、前記水平な壁の上方には、下端開口が閉じられた大径の円筒部材が前記円筒壁から間隔をあけて配置されるとともに、前記大径の円筒部材および前記水平な壁間には小径の円筒部材が同軸にのび、前記小径の円筒部材の下端が前記水平な壁に同心に形成された円形の開口に接続される一方、上端が前記大径の円筒部材の下端壁に同心に形成された円形の開口に接続されており、前記大径の円筒部材の上端縁は前記蓋の内面に接触し、前記蓋には前記大径の円筒部材の上端開口に整合する開口が形成され、前記洗浄液貯蔵室の上部周壁には洗浄液供給口が設けられ、下部周壁には洗浄液出口が形成され、前記洗浄液出口には前記容器の外側に配置された洗浄液吸上げ管の一端が接続され、前記洗浄液吸上げ管の他端は、前記洗浄室の周壁を貫通して前記洗浄室内にのびた後、前記小径の円筒部材の周壁を貫通して前記小径の円筒部材の内部に開口し、前記仕切板には前記洗浄室と前記洗浄液貯蔵室を連通する通気孔が設けられ、前記洗浄室の上部周壁には排水孔が形成されており、前記洗浄室内に洗浄すべき人口歯および／または歯科用補綴物が入れられ、前記容器に前記蓋が取り付けられた状態で、高温蒸気噴射のずるが前記蓋の開口を通って前記大径の円筒部材内に挿入され、前記円筒壁の前記吹出口から前記洗浄液の混合された高温蒸気が噴射されて前記洗浄室内に渦流が立ち上り、前記渦流の作用により前記人口歯および／または前記歯科用補綴物が洗浄されるものであることを特徴とする歯科技工用洗浄器を構成したものである。
【０００９】
上記構成において、好ましくは、前記洗浄室の壁面に複数の丸みを帯びた凸部が設けられている。
上記構成において、また好ましくは、前記容器は下端開口が閉じられた筒状をなし、前記蓋は、前記容器の外径に対応する内径を有しかつ上端開口が閉じられた短筒状をなし、前記容器の上端付近の周壁外面には、ネジ山が設けられる一方、前記蓋の周壁内面には、前記容器のネジ山と対をなすネジ溝が設けられており、前記蓋が前記容器にねじ込み固定されることによって前記容器に取り付けられる。
【００１０】
あるいは、前記容器は、中空球形の第１の容器エレメントと、前記第１の容器エレメントの直径よりも小さい内径を有し、下端開口が閉じられた筒形状の第２の容器エレメントとを、前記第１の容器エレメントが前記第２の容器エレメントの上端開口に嵌め込まれた状態で結合したものからなり、前記仕切板は、前記第１の容器エレメントにおける前記第２の容器エレメントの上端開口を封閉する壁部分からなり、前記第１の容器エレメントの内部空間が前記洗浄室を形成し、前記第２容器エレメントの内部空間が前記洗浄液貯蔵室を形成する。
【考案の効果】
【００１１】
本考案によれば、洗浄すべき人口歯および／または歯科用補綴物を収容して蓋をした後、蓋の開口を通って容器内にノズルを挿入し、ノズルから高温蒸気を噴射させるだけで、容器内に洗浄液の混合された高温蒸気の渦流を発生させ、この渦流によって人口歯および／または歯科用補綴物を迅速かつ確実に洗浄することができる。
【図面の簡単な説明】
【００１２】
【図１】本考案の１実施例による歯科技工用洗浄器の斜視図である。
【図２】（Ａ）は、図１に示した歯科技工用洗浄器の使用時の縦断面図であり、（Ｂ）は、図１の歯科技工用洗浄器の洗浄室内の底部付近を上から見た平面図である。
【図３】本考案の別の実施例による歯科技工用洗浄器を示す図２に類似の図である。
【考案を実施するための形態】
【００１３】
以下、添付図面を参照して本考案の好ましい実施例について説明する。図１は、本考案の１実施例による歯科技工用洗浄器の斜視図であり、図２Ａは、図１に示した歯科技工用洗浄器の使用時の縦断面図であり、図２Ｂは、図１の歯科技工用洗浄器の洗浄室内の底部付近を上から見た平面図である。
図１および図２を参照して、本考案による歯科技工用洗浄器は、下端開口が閉じられた筒状をなす容器１と、容器１の外径に対応する内径を有しかつ上端開口が閉じられた短筒状をなす蓋２を備えている。そして、容器１の上端付近の周壁外面にはネジ山３が設けられる一方、蓋２の周壁内面には、容器１のネジ山３と対をなすネジ溝４が設けられており、蓋２が容器１にねじ込み固定されるようになっている。
この場合、容器１の形状は、この実施例に限定されず、中心軸に関して回転対称な形状であればどのような形状であってもよい。蓋２の形状もまたこの実施例に限定されず、蓋２は、容器１に着脱自在に取り付けられることによって、容器の中心軸方向上端に設けた開口を封閉するものであれば、どのような形状であってもよい。
また、蓋２には、取っ手２ｂが設けられている。なお、取っ手２ｂは容器１の側壁に設けられていてもよい。
【００１４】
容器１の内部空間は、直径が容器１の内径に等しい円形の仕切板５によって仕切られ、仕切板５を挟んで上下にそれぞれ洗浄室６および洗浄液貯蔵室７が設けられている。
また、仕切板５の洗浄室６側の面には、円筒壁８が容器１の中心軸に同軸に設けられ、円筒壁８には、その円周の接線方向に開いた吹出口９が少なくとも１つ、この実施例では一対形成されている。吹出口９は、円筒壁８の円周方向に沿って同じ向きに開いている。
【００１５】
円筒壁８の上端開口は水平な壁１０によって閉じられ、水平な壁１０の上方には、下端開口が閉じられた大径の円筒部材１１が円筒壁８から間隔をあけて配置されるとともに、大径の円筒部材１１および水平な壁１０間には小径の円筒部材１２が同軸にのび、小径の円筒部材１２の下端が水平な壁１０に同心に形成された円形の開口１０ａに接続され、上端が大径の円筒部材１１の下端壁に同心に形成された円形の開口１１ａに接続される。
【００１６】
蓋２の上端面には円形の開口２ａが同心に設けられ、蓋２が容器１に取り付けられた状態で、大径の円筒部材１１の上端縁と蓋２の内面とが接触し、かつ蓋２の開口２ａと大径の円筒部材１１の上端開口とが整合するようになっている。なお、この実施例では、大径の円筒部材１１の上端縁は、これに取り付けられた環状のパッキン２０を介して蓋２の内面にシールされた状態で接触する。
【００１７】
また、洗浄液貯蔵室７の上部周壁には栓１７を備えた洗浄液供給口１６が設けられ、下部周壁には洗浄液出口１９が形成されている。洗浄液出口１９には容器１の外側に配置された洗浄液吸上げ管１３の一端が接続され、洗浄液吸上げ管１３の他端は、洗浄室６の周壁を貫通して洗浄室６内にのびた後、小径の円筒部材１２の周壁を貫通して小径の円筒部材１２の内部に開口している。
【００１８】
（以下、段落番号を順次変更）
また、仕切板５には、洗浄室６と洗浄液貯蔵室７を連通する通気孔５ａが設けられ、洗浄室６の上部周壁には排水孔１４が形成されている。通気孔５ａおよび排水孔１４は、洗浄すべき人口歯および歯科用補綴物が通過し得ないサイズを有している。また、通気孔５ａおよび排水孔１４は、必要に応じて複数設けられていてもよい。排水孔１４には、容器１の外側から排水チューブ１５の一端が接続され、排水チューブ１５は、排水孔１４から下向きに容器１の下部にのびている。
【００１９】
こうして、洗浄液貯蔵室７に公知の適当な洗浄液１８が充填され、また、洗浄室６内に洗浄すべき人口歯および／または歯科用補綴物が入れられ、容器１に蓋２が取り付けられる。次いで、容器１が操作者の一方の手で保持される一方、操作者の他方の手に保持された高温蒸気噴射ノズル２１が蓋２の開口２ａを通って大径の円筒部材１１内に挿入され、ノズル２１から高温蒸気が噴射される。ノズル２１から噴射された高温蒸気は、小径の円筒部材１２内を通過し、円筒壁８および水平な壁１８および仕切板５によって囲まれた空間内に流れ込む。このとき、洗浄液１８が、洗浄液吸上げ管１３を通じて、小径の円筒部材１２内を通過する高温蒸気流中に吸引され、高温蒸気に混合される。
【００２０】
そして、円筒壁８の吹出口９から洗浄液１８の混合された高温蒸気が噴射され、洗浄室６内に渦流が立ち上がり、洗浄室６内の人口歯および／または歯科用補綴物はこの渦流の中で激しく運動する。
この運動の間に人口歯および／または歯科用補綴物に付着したワックス、油分、その他の汚れが渦流に洗い流される。よって、洗浄作業中に、手作業で人口歯等の向きを変えたり、裏返したりする必要がない。
また、洗浄中は、ノズル２１を通じてきれいな高温蒸気が洗浄室６内に連続的に供給される一方、洗浄後の汚水が排水孔１４から排水チューブ１５を通じて外部に排水され、人口歯および／または歯科用補綴物から一旦洗い流されたワックス等が人口歯等に再付着することが防止される。
洗浄が完了すると、ノズル２１からの高温蒸気の噴射が停止されて、ノズル２１が容器１から取り外され、次いで、蓋２が容器１から取り外されて、洗浄後の人口歯および／または歯科用補綴物が容器１の開口から取り出される。
【００２１】
図３は、本考案の別の実施例による歯科技工用洗浄器を示す図２に類似の図である。図３に示した実施例は、図１および図２に示した実施例と、容器の構成が異なるだけである。よって、図３中、図１および図２に示した構成要素と同じ構成要素には同一番号を付し、以下ではそれらの詳細な説明を省略する。
【００２２】
図３を参照して、この実施例では、容器１’は、中空球形の第１の容器エレメント１ａ’と、第１の容器エレメント１ａ’の直径よりも小さい内径を有し、下端開口が閉じられた筒形状の第２の容器エレメント１ｂ’とを、第１の容器エレメント１ａ’が第２の容器エレメント１ｂ’の上端開口に嵌め込まれた状態で結合したものからなっている。
そして、容器１’の内部を仕切る仕切板は、第１の容器エレメント１ａ’における第２の容器エレメント１ｂ’の上端開口を封閉する壁部分からなり、第１の容器エレメント１ａ’の内部空間が洗浄室６を形成し、第２容器エレメント１ｂ’の内部空間が洗浄液貯蔵室７を形成する。
【００２３】
第１の容器エレメント１ａ’の上端開口縁には、円筒壁１ｃ’が設けられ、円筒壁１ｃ’の外面にネジ山３が設けられている。蓋２’は、円筒壁１ｃ’の外径に対応する内径を有し、かつ上端開口が閉じられた短筒状に形成され、周壁の内面に、円筒壁１ｃ’のネジ山３と対をなすネジ溝４が設けられていて、円筒壁１ｃ’にねじ込み固定される。
【００２４】
蓋２’は大径の円筒部材１１の上端開口に整合する円形の開口２ａ’を有し、蓋２’の内面側の開口２ａ’の周縁には円筒壁２ｃ’が突設されている。そして、円筒壁２ｃ’の下端縁には、環状の溝が形成され、容器１ａ’、１ｂ’に蓋２’が取り付けられた状態で、円筒壁２ｃ’の溝に、大径の円筒部材１１の上端縁が嵌め込まれる。
また、第１の容器エレメント１ａ’に取っ手２２が設けられている。
【００２５】
また、洗浄室６の壁面には、半球状の凸部２３が複数設けられている。凸部２３は、洗浄中に人口歯等によって衝突されることで、洗浄作用を高めるように機能する。凸部２３は、半球状に限らず、丸みを帯びた任意の形状でよく、また、洗浄室の壁面全体に設けてもよいし、同壁面の仕切板または容器の領域だけに設けてもよい。
【符号の説明】
【００２６】
１、１’  容器
１ａ’  第１の容器エレメント
１ｂ’  第２の容器エレメント
１ｃ’  円筒壁
２、２’  蓋
２ａ、２ａ’  開口
２ｂ  取っ手
２ｃ’  円筒壁
３  ネジ山
４  ネジ溝
５  仕切板
５ａ  通気孔
６  洗浄室
７  洗浄液貯蔵室
８  円筒壁
９  吹出口
１０  水平な壁
１０ａ  円形の開口
１１  大径の円筒部材
１１ａ  大径の円筒部材の上端開口
１１ｂ  円形の開口
１２  小径の円筒部材
１３  洗浄液吸上げ管
１４  排水孔
１５  排水チューブ
１６  洗浄液供給口
１７  栓
１８  洗浄液
１９  洗浄液出口
２０  環状パッキン
２１  高温蒸気噴射ノズル
２２  取っ手
２３  凸部
【図１】
0003181345.tif 000003
【図２】
0003181345.tif 000004
【図３】
0003181345.tif 000005